(57)【要約】  動物の乳頭に取り付けられる乳頭カップ、及び乳頭カップの外殻（５）内に装着されるように構成される乳頭カップライナー（１）が開示される。乳頭カップライナーは、乳頭を受けるための内部空間（７）を包囲する胴体（３）を含む。胴体は、下方区域（３′）及び上方区域（３′′）を含み、下方区域（３′）が、上方区域（３′′）に隣接する。胴体（３）は、複数の辺部（１８）と複数の角部（１９）を規定し、各角部が、前記辺部の二つを連結する多角形断面形状を有する。各辺部は、辺部の中心線で辺部壁厚さを有する。各角部は、角部の中心線で角部壁厚さを有する。角部壁厚さは、胴体に沿って辺部壁厚さより厚い。角部壁厚さは、胴体の上方区域に沿って下方区域に向かって減少する。【選択図】図１−２
2021502067.tif 000002
【特許請求の範囲】
【請求項１】
搾乳される動物の乳頭に取り付けられる乳頭カップの外殻（５）内に装着されるように構成され、かつ長手方向中心軸（ｘ）に沿って延びる細長形状を有する乳頭カップライナー（１）であって、乳頭カップライナー（１）が、長手方向中心軸（ｘ）に沿って長さ（Ｌ）を有しかつ乳頭を受けるための内部空間（７）を包囲する胴体（３）を含み、胴体（３）が、下方区域（３′）及び上方区域（３′′）を長手方向中心軸（ｘ）に沿って含み、下方区域（３′）が、上方区域（３′′）に隣接し、胴体（３）が、休止状態では、長手方向中心軸（ｘ）を横切って多角形断面形状を有し、多角形断面形状が、複数の辺部（１８）と複数の角部（１９）を規定し、各角部（１９）が、前記辺部（１８）の二つを連結し、辺部（１８）の各々が、胴体（３）の長さ（Ｌ）に沿って辺部（１８）の少なくとも長手方向中心線で辺部壁厚さ（Ｔ１）を有し、角部（１９）の各々が、胴体（３）の長さ（Ｌ）に沿って角部（１９）の少なくとも長手方向中心線で角部壁厚さ（Ｔ２）を有し、角部壁厚さ（Ｔ２）が、胴体（３）の長さに沿って辺部壁厚さ（Ｔ１）より厚いものにおいて、
角部壁厚さ（Ｔ２）が、胴体（３）の上方区域（３′′）に沿って胴体（３）の下方区域（３′）に向かって減少することを特徴とする乳頭カップライナー（１）。
【請求項２】
角部壁厚さ（Ｔ２）が、胴体（３）の下方区域（３′）に向かって辺部壁厚さ（Ｔ１）に近づく、請求項１に記載の乳頭カップライナー（１）。
【請求項３】
胴体（３）の上方区域（３′′）が、胴体（３）の長さ（Ｌ）の最大４０％に沿って延びる、請求項１又は２に記載の乳頭カップライナー（１）。
【請求項４】
角部壁厚さ（Ｔ２）が、胴体（３）の下方区域（３′）に沿って一定である、請求項１〜３のいずれかに記載の乳頭カップライナー（１）。
【請求項５】
辺部壁厚さ（Ｔ１）が、胴体（３）の上方区域（３′′）及び下方区域（３′）に沿って一定である、請求項１〜４のいずれかに記載の乳頭カップライナー（１）。
【請求項６】
胴体（３）の下方区域（３′）が、胴体（３）の長さ（Ｌ）の少なくとも６０％に沿って延びる、請求項１〜５のいずれかに記載の乳頭カップライナー（１）。
【請求項７】
休止状態での辺部（１８）の各々が、胴体（３）の長さ（Ｌ）に沿って内部空間（７）及び長手方向中心軸（ｘ）に向かって凸状湾曲を有する、請求項１〜６のいずれかに記載の乳頭カップライナー（１）。
【請求項８】
休止状態での角部（１９）の各々が、内部空間（７）に面しかつ内部空間（７）に向かって内部半径（ｒ）を有する凹状湾曲を有する内部表面を含み、内部半径（ｒ）が、内部空間（７）から内部表面まで延び、かつ休止状態では角部（１９）の長手方向中心線で少なくとも４ｍｍである、請求項１〜７のいずれかに記載の乳頭カップライナー（１）。
【請求項９】
長手方向中心線における角部（１９）の各々の内部半径（ｒ）が、上方区域（３′′）から乳頭カップライナー（１）の下端（１′）に向かって減少する、請求項８に記載の乳頭カップライナー（１）。
【請求項１０】
胴体（３）の長さ（Ｌ）が、９０〜１３０ｍｍである、請求項１〜９のいずれかに記載の乳頭カップライナー（１）。
【請求項１１】
乳頭カップライナー（１）が、胴体（３）の下方区域（３′）に隣接する出口部分（２）、及び内部空間（７）への乳頭開口（９）を規定するリップ（８）を含むマウスピース部分（４）を含む、請求項１〜１０のいずれかに記載の乳頭カップライナー（１）。
【請求項１２】
出口部分（２）が、外殻（５）との係合のために構成される係合手段（１３）を有する、請求項１１に記載の乳頭カップライナー（１）。
【請求項１３】
多角形断面形状が、三つの辺部（１８）及び三つの角部（１９）を規定する三角形断面形状である、請求項１〜１２のいずれかに記載の乳頭カップライナー（１）。
【請求項１４】
搾乳される動物の乳頭に取り付けられるように構成された乳頭カップであって、外殻（５）、及び請求項１〜１３のいずれかに記載の乳頭カップライナーを含む乳頭カップ。
【発明の詳細な説明】
【技術分野】
【０００１】
本発明は、請求項１の前提文に記載の搾乳される動物の乳頭に取り付けられる乳頭カップの外殻に装着されるように構成された乳頭カップライナーに関する。本発明はまた、動物の乳頭に取り付けられるように構成された乳頭カップに関する。
【背景技術】
【０００２】
ＥＰ２８４６６２５は、搾乳される動物の乳頭に取り付けられる乳頭カップの外殻内に装着されるように構成され、かつ長手方向軸に沿って延びる細長形状を有する乳頭カップライナーを開示する。乳頭カップライナーは、長手方向軸に沿って長さを有しかつ乳頭を受けるための内部空間を規定する胴体を含む。胴体は、休止状態では、長手方向軸を横切って多角形断面形状を有する。
【０００３】
胴体の多角形断面形状は、複数の角部と複数の辺部を規定し、辺部の各々は角部の二つを連結する。辺部の各々は、胴体の長さに沿って少なくとも辺部の中心線で第一壁厚さを有する。角部の各々は、胴体の長さに沿って少なくとも角部の中心線で第二壁厚さを有する。第一壁厚さは、第二壁厚さより小さい。
【０００４】
胴体の多角形断面形状は、それが搾乳操作時の乳頭の優しい処置を与えると同時に乳頭の効率的なマッサージを与えるという点で円形断面形状と比較すると有利である。辺部の薄い壁厚さは、長手方向中心軸に向かう辺部の内側移動を可能にすることによって胴体の完全なつぶれを容易にする。
【０００５】
ＷＯ２０１７／１０５３２１は、マウスピースを規定するヘッド、上部胴体が下部胴体に接合された胴体、及び下部胴体から下方に延び、乳頭カップの外殻と協働する出口部分を含む乳頭カップライナーを開示する。緩和した状態では、胴体は、多角形断面形状を有し、下部胴体は、搾乳操作のライナーつぶれ段階時の閉鎖のために上部胴体の可撓性より大きい可撓性を有し、従って下部胴体の角部は、上部胴体の角部より弱く、それによって下部胴体が最初につぶれて上部胴体への下部胴体の上方への波運動を作ることを確実にし、それは、乳頭の上で上部胴体を確実につぶし、強い乳頭マッサージを与え、乳頭組織におけるうっ血を緩和する。
【発明の概要】
【０００６】
本発明の目的は、改良された挙動、特に改良されたつぶれ挙動、及び乳頭と胴体の改良された接触を有する、多角形断面形状を有する乳頭カップライナーを提供することである。
【０００７】
この目的は、角部壁厚さが、胴体の上方区域に沿って胴体の下方区域に向かって減少することを特徴とする、冒頭に規定された乳頭カップライナーによって達成される。
【０００８】
角部の減少する厚さは、胴体のつぶれ挙動の改良された制御をもたらしうる。胴体の下方区域において、角部は、よりヒンジ状の機能を得ることができ、従って胴体の完全に対称的なつぶれを達成することができる。これは、次に下方区域、即ち乳頭の真下で胴体の完全なつぶれ及び閉鎖を確実にすることができる。
【０００９】
上方区域において、より厚いが減少する角部壁厚さは、搾乳操作の全体の脈動サイクル時に胴体の内部空間を乳頭で満たすことを可能にすることができ、従って少なくとも横断面において乳頭のまわりで胴体とのタイトな密着を確実にすることができる。従って、胴体と乳頭の間の空気又は気体の漏出は、減少又は実質的に防止されることができる。
【００１０】
本発明の実施形態によれば、角部壁厚さは、胴体の下方区域に向かって辺部壁厚さに近づく。角部壁厚さの減少は、上方区域の長さに沿って連続することができる。角部壁厚さは、辺部壁厚さに近づくことができるが、上方区域の下端では辺部壁厚さより厚いままであるか、又は少し厚いままである。
【００１１】
本発明の実施形態によれば、胴体の上方区域は、胴体の長さの最大４０％に沿って、胴体の長さの最大３５％に沿って、胴体の長さの最大３０％に沿って、又は胴体の長さの最大２５％に沿って延びる。有利には、胴体の上方区域は、胴体の長さの少なくとも１０％に沿って、胴体の長さの少なくとも１５％に沿って、又は胴体の長さの少なくとも２０％に沿って延びる。
【００１２】
上述のように、上方区域は、乳頭と胴体の間のタイトな密着を確実にするように構成され、下方区域は、胴体の完全なつぶれを確実にするように構成される。下方区域に対する上方区域の短い長さは、乳頭の長さから独立して又は本質的に独立して胴体の機能化を可能にする。乳頭への胴体のタイトな密着は、極めて短い軸方向長さでのみ、理論的には長手方向中心軸に直交する一つの横断面でのみ達成されることが必要である。
【００１３】
本発明の実施形態によれば、角部壁厚さは、上方区域の上方境界から下方区域まで減少することができる。従って、角部壁厚さは、上方区域の上方境界で最も大きくすることができる。
【００１４】
本発明の実施形態によれば、角部壁厚さは、胴体の下方区域に沿って一定又は実質的に一定である。全下方区域に沿った角部壁厚さは、乳頭の真下での胴体の完全なつぶれを可能とするように構成されることができる。
【００１５】
本発明の実施形態によれば、辺部壁厚さは、胴体の上方区域及び下方区域に沿って一定又は実質的に一定である。
【００１６】
本発明の実施形態によれば、胴体の下方区域は、胴体の長さの少なくとも６０％に沿って、胴体の長さの少なくとも６５％に沿って、胴体の長さの少なくとも７０％に沿って、又は胴体の長さの少なくとも７５％に沿って延びる。有利には、胴体の下方区域は、胴体の長さの最大９０％に沿って、胴体の長さの最大８５％に沿って、又は胴体の長さの最大８０％に沿って延びる。
【００１７】
本発明の実施形態によれば、辺部の各々は、休止状態において、胴体の長さに沿って内部空間及び長手方向中心軸に向かって凸状湾曲を有する。かかる内側に向けられた湾曲又は膨らみは、胴体の均一なつぶれに寄与し、胴体の全ての辺部が適切につぶれることを確実にすることができる。従って、辺部の各々は、辺部の長手方向中心線で内部空間の外側の位置から辺部の外部表面まで延びる半径を持つことができる。
【００１８】
本発明の実施形態によれば、角部の各々は、休止状態において、内部空間に面しかつ内部空間に向かって内部半径を有する凹状湾曲を有する内部表面を含み、内部半径は、内部空間から内部表面まで延び、休止状態では角部の長手方向中心線で少なくとも４ｍｍである。
【００１９】
本発明の実施形態によれば、角部の各々の内部半径は、上方区域から乳頭カップライナーの下端に向かって減少する。
【００２０】
本発明の実施形態によれば、胴体の長さは、９０〜１３０ｍｍである。
【００２１】
本発明の実施形態によれば、乳頭カップライナーは、胴体の下方区域に隣接する出口部分、及び内部空間への乳頭開口を規定するリップを含むマウスピース部分を含む。
【００２２】
本発明の実施形態によれば、胴体の長さは、出口部分と胴体の間の下方境界から胴体とマウスピース部分の間の上方境界まで延びる。従って、上方区域は、上方境界から下方区域まで延びるが、下方区域は、上方区域から下方境界まで延びる。
【００２３】
本発明の実施形態によれば、角部の各々の内部半径は、上方境界から下方境界まで減少する。
【００２４】
本発明の実施形態によれば、マウスピース部分は、乳頭カップライナーの一体化された部分である。本発明の別の実施形態によれば、マウスピース部分は、乳頭カップライナーを形成するために胴体に取り付けられた別個の部分である。
【００２５】
本発明の実施形態によれば、出口部分は、短いミルク導管を形成する。本発明の別の実施形態によれば、出口部分は、別個のミルク導管への出口部分の接続を可能とするように構成された、乳首のような出口部材を含む。
【００２６】
本発明の実施形態によれば、マウスピース部分は、胴体の上方区域に隣接する移行区域を含む。
【００２７】
本発明の実施形態によれば、移行区域は、長手方向中心軸に沿った長さを有し、それは、１５〜２０ｍｍである。
【００２８】
本発明の実施形態によれば、マウスピース部分は、移行区域から乳頭開口までの長手方向中心軸に沿ったマウスピース深さを有し、マウスピース深さは、長さ２０〜３０ｍｍである。
【００２９】
本発明の実施形態によれば、出口部分は、外殻との係合のために構成された係合手段を有する。
【００３０】
本発明の実施形態によれば、多角形断面形状は、三つの辺部及び三つの角部を規定する三角形断面形状である。
【００３１】
本発明の実施形態によれば、多角形断面形状は、四つの辺部及び四つの角部を規定する矩形又は正方形断面形状である。
【００３２】
前記目的はまた、外殻、及び上で規定された乳頭カップライナーを含む、冒頭に規定された乳頭カップライナーによって達成される。
【図面の簡単な説明】
【００３３】
本発明は、種々の実施態様の説明によってここに添付された図面を参照してより詳細に説明される。
【００３４】
【図１−２】図１は、本発明による乳頭カップライナーの第一実施態様の縦方向側面図を示す。図２は、外殻及び図１の乳頭カップライナーの縦方向断面図を示す。
【００３５】
【図３−７】図３は、図１の線ＩＩＩ−ＩＩＩに沿った乳頭カップライナーの断面図を示す。図４は、図１の線ＩＶ−ＩＶに沿った乳頭カップライナーの断面図を示す。図５は、図１の線Ｖ−Ｖに沿った乳頭カップライナーの断面図を示す。図６は、図１の線ＶＩ−ＶＩに沿った乳頭カップライナーの断面図を示す。図７は、図１の線ＶＩＩ−ＶＩＩに沿った乳頭カップライナーの断面図を示す。
【００３６】
【図８−９】図８は、乳頭カップライナーの第二実施形態による、図５のものに対応する断面図である。図９は、乳頭カップライナーの第三実施形態による、図２のものに対応する断面図である。
【発明を実施するための形態】
【００３７】
図１〜７は、本発明の第一実施形態による乳頭カップライナー１を開示する。乳頭カップライナー１は、出口部分２、胴体３、及びマウスピース部分４を含む。図２でわかるように、乳頭カップライナー１は、乳頭カップの外殻５内に取り付けられるように構成されている。即ち、乳頭カップライナー１及び外殻５は、動物の乳頭に付与される乳頭カップを形成することができる。
【００３８】
乳頭カップライナー１は、細長形状を持ちかつ長手方向中心軸ｘに沿って延びる。出口部分２、胴体３、及びマウスピース部分４は、長手方向中心軸ｘに沿って互いの後に続いて設けられる。
【００３９】
第一実施態様では、出口部分２、胴体３、及びマウスピース部分４は、天然または合成ゴム、シリコーン、又は熱可塑性エラストマーなどの一種のエラストマー材料のワンピースで製造される。出口部分２及び／又はマウスピース部分４は、胴体３とは別のおそらく弾性に劣る材料で製造されることができる。
【００４０】
従って、第一実施形態では、マウスピース部分４は、乳頭カップライナー１の一体化された部分であるか、又はそれを形成する。別の実施形態によれば、マウスピース部分４は、乳頭カップライナー１を形成するために胴体３に取り付けられた別個の部分であることができる（図９参照）。
【００４１】
出口部分２及び胴体３は、下方境界２−３に沿って互いに隣接している。胴体３及びマウスピース部分４は、上方境界３−４に沿って互いに隣接している。図１及び２においてそれぞれ点線によって開示される下方境界２−３及び上方境界３−４は、長手方向中心軸ｘに直交して延びる。
【００４２】
胴体３は、長手方向中心軸ｘに沿って下方区域３′及び上方区域３′′を含むか、又はそれらからなる。下方区域３′は、移行部６で上方区域３′′と隣接する。図１において点線によって開示される移行部６は、長手方向中心軸ｘに直交して延びる。
【００４３】
胴体３は、下方境界２−３と上方境界３−４の間の長手方向中心軸ｘに沿って長さＬを有する。胴体３の長さＬは、９０〜１３０ｍｍ、好ましくは１００〜１２０ｍｍである。
【００４４】
胴体３は、乳頭を受けるための内部空間７を包囲する。
【００４５】
出口部分２は、乳頭カップライナー１の下端１′を形成する。マウスピース部分４は、乳頭カップライナー１の上端１′′を形成する。出願全体を通して、用語「上方（上部）」は、乳頭カップが動物の乳頭に取り付けられるときに搾乳時に動物の乳房に近い方の位置を示し、用語「下方（下部）」は、動物の搾乳時に乳房から遠い方の位置を示す。
【００４６】
マウスピース部分４は、上方境界３−４で胴体３に隣接する移行区域４′を含む。さらに、マウスピース部分４は、内部空間７への乳頭のための乳頭開口９を形成するリップ８を含む。
【００４７】
マウスピース部分４は、環状ベース１０を含む。リップ８は、環状ベース１０から長手方向中心軸ｘに向かって延びる。移行区域４′は、長手方向中心軸ｘに沿って環状ベース１０からマウスピース部分４の下端まで、即ち上方境界３−４まで延びる。
【００４８】
マウスピース部分４はまた、環状ベース１０から出口部分２に向かって延びるカラー（ｃｏｌｌａｒ）１１を含む。カラー１１は、移行区域４′の外側かつそのまわりに延びる。カラー１１は、外殻５の上端を受けるための環状凹所１２を形成する。従って、環状凹所１２は、カラー１１と移行区域４′の間に与えられる。
【００４９】
胴体３の上方区域３′′に隣接する移行区域４′は、長手方向中心軸ｘに沿った長さを有し、それは、１５〜２０ｍｍであることができる。マウスピース部分４は、長手方向中心軸ｘに沿って乳頭開口９から移行区域４′までマウスピース深さＤを有する。マウスピース深さＤは、２０〜３０ｍｍであることができる。
【００５０】
出口部分２は、乳頭カップライナー１の下端１′から胴体３まで延びる。第一実施態様では、出口部分２は、乳頭カップライナー１の下端１′まで延びかつかぎ爪または他の同様なミルク受け部材（開示せず）に取り付けられるように構成されている短いミルク導管を含む。
【００５１】
出口部分２はまた、乳頭カップライナー１が乳頭カップを形成するために外殻５内に取り付けられるときに外殻５の下端と係合する肩、溝、または凹所のような係合手段１３を含む。
【００５２】
脈動室１４は、外殻５と乳頭カップライナー１の間、特に外殻５と胴体３の間に形成される。脈動乳首１５は、脈動室１４に脈動減圧又は脈動圧力を供給するために与えられることができる。
【００５３】
上方境界３−４は、胴体３が乳頭のまわりで乳頭の表面と接触する位置に位置されることができる。例えば、上方境界３−４における内部空間７の平均直径は、２３〜２８ｍｍであることができる。
【００５４】
胴体３は、第一実施形態において、長さＬに沿って上方境界３−４から下方境界２−３まで先細であるか、又はわずかに先細である。従って、胴体３は、平均内部直径（即ち内部空間７の直径）を有し、それは、胴体３に沿って下方境界２−３に向かって減少することができる。しかしながら、胴体３はまた、いかなる先細りもなしで円筒形を持つことができることが注意される。
【００５５】
上方境界３−４の上のマウスピース部分４では、平均内部直径（即ち内部空間７の直径）は、胴体３におけるより大きくすることができ、従って少なくとも乳頭の外部表面の一部に沿って、リップ８の下でマウスピース部分４と乳頭の間で完全な接触はない。
【００５６】
乳頭カップライナー１は、図２では、休止状態で開示されている。休止状態は、乳頭カップライナー１が外殻５内に取り付けられているが乳頭カップの外殻５内の乳頭カップライナー１の取り付けからもたらされる緊張とは別のいかなるさらなる外部の力にもさらされていないときの、すなわち乳頭カップライナー１が搾乳減圧または脈動減圧にさらされていない、または乳頭が内部空間７中に導入されるときに起こる力または圧力にさらされていないときの、状態を示すことができる。
【００５７】
図３，４及び５でわかるように、胴体３は、休止状態では、長手方向中心軸ｘに対して横断的に見て、マウスピース部分４から出口部分２まで、好ましくは全長Ｌまたは実質的に全長Ｌに沿って、三つの角を持つ多角形断面形状、または三角形、または略三角形断面形状を持つ。この三角形断面形状は、三つの辺部１８及び三つの角部１９を規定する。辺部１８の各々は、角部１９の二つを連結する。
【００５８】
角部１９の各々は、内部空間７に面しかつ内部空間７から内部表面まで延びる内部半径ｒを持つ内部空間７の方への凹状湾曲を持つ内部表面を含む。角部１９の内部半径ｒは、特に完全な三角形の形状の角部１９の内部半径ｒと比べて、比較的長い。内部半径ｒは、各角部１９について等しくすることができる。
【００５９】
上方区域３の上方境界３−４、即ち上方区域３′′とマウスピース部分４の間の境界（図５参照）では、各角部１９の内部半径ｒは、角部１９の長手方向中心線で比較的長く、特に少なくとも４ｍｍである。従って、乳頭は、少なくとも上方区域３の上方境界３−４において胴体３の内部空間７を満たすことができる。
【００６０】
辺部１８の各々は、休止状態では、内部空間７及び長手方向中心軸ｘに向かって、好ましくは胴体３の全長Ｌに沿って凸状湾曲を有する。従って、辺部１８の各々は、外部表面、及び反対側の内部表面１８を含み、内部表面１８は、内部空間７に面しかつ内部空間７に向かって凸状湾曲を有する。半径Ｒは、内部空間７の外側の位置から辺部１８の長手方向中心線の外部表面まで延びる（図３及び５参照）。半径Ｒは、各辺部１８について等しくすることができる。
【００６１】
辺部１８の各々の半径Ｒは、角部１９の内部半径ｒより大きいか、又は有意に大きい。
【００６２】
辺部１８の各々の半径Ｒは、休止状態では、それぞれの辺部１８の長手方向中心線（図３及び５参照）で、又はおそらく辺部１８の全体で少なくとも１５ｍｍで多くとも４０ｍｍである。
【００６３】
辺部１８の各々は、胴体３の長さＬに沿って辺部１８の長手方向中心線で又は少なくとも長手方向中心線で辺部壁厚さＴ１を有する。角部１９の各々は、胴体３の長さＬに沿って角部１９の長手方向中心線で又は少なくとも長手方向中心線で角部壁厚さＴ２を有する。
【００６４】
角部壁厚さＴ２は、胴体３の長さＬに沿って、即ち上方区域３′′及び下方区域３′に沿って側部壁厚さＴ１より厚い。
【００６５】
角部壁厚さＴ２は、角部１９と隣接する辺部１８の間の連続的な移行部を形成するために周囲方向で辺部壁厚さＴ１まで減少する。
【００６６】
角部壁厚さＴ２は、胴体３の上方区域３′′に沿って下方区域３′に向かって上方境界３−４から移行部６まで減少する。角部壁厚さＴ２は、上方境界３−４において３．２〜３．６ｍｍ、好ましくは３．３〜３．５ｍｍ、又は例えば３．４ｍｍもしくは実質的に３．４ｍｍであることができる。角部壁厚さＴ２は、胴体３の上方区域３′′に沿って滑らかに又は連続的に上方境界３−４から移行部６まで減少することができる。
【００６７】
角部壁厚さＴ２は、胴体３の上方区域３′′に沿って辺部壁厚さＴ１に近づくが、辺部壁厚さＴ１より厚いままである。
【００６８】
角部壁厚さＴ２は、胴体３の下方区域３′に沿って一定である。角部壁厚さＴ２は、移行部６でかつ下方区域３′に沿って１．９〜２．３ｍｍ、好ましくは２．０〜２．２ｍｍ、又は例えば２．１ｍｍもしくは実質的に２．１ｍｍであることができる。
【００６９】
さらに、辺部壁厚さＴ１は、胴体３の上方区域３′′及び下方区域３′に沿って一定である。辺部壁厚さＴ１は、下方区域３′及び上方区域３′′に沿って１．７〜２．１ｍｍ、好ましくは１．８〜２．０ｍｍ、又は例えば１．９ｍｍもしくは実質的に１．９ｍｍであることができる。
【００７０】
図６及び７でわかるように、マウスピース部分４の移行区域４′はまた、辺部１８及び角部１９を有する多角形断面形状を持つ。しかしながら、移行区域４′の多角形断面形状は、移行区域４′の上の円形断面形状に連続的に移行する。
【００７１】
図８は、多角形断面形状が四つの辺部１８及び四つの角部１９を規定する矩形又は正方形の断面形状である点でのみ第一実施形態とは異なる第二実施形態を開示する。さらなる実施形態が可能であり、それに従って多角形断面形状は、四つより多い辺部及び角部を規定することができ、例えば五つ又は六つの辺部及び角部を規定することができることが注意されるべきである。
【００７２】
図９は、マウスピース部分４が乳頭カップライナー１を形成するために胴体３に取り付け可能な別個の部分であること、そして出口部分２が短いこと、即ち短いミルク導管が別個のミルク導管又は短いミルク導管に取り付けられるように構成された乳首などの出口部材２５によって置換されていることにおいて第一及び第二実施形態とは異なる第三実施形態を開示する。胴体３は、第一及び第二実施形態と同じ多角形断面形状を持つことができる。
【００７３】
本発明は、開示された実施形態に限定されず、請求の範囲内で変更及び修正されることができる。
【図１−２】
2021502067.tif 000003
【図３−７】
2021502067.tif 000004
【図８−９】
2021502067.tif 000005
【国際調査報告】
2021502067.tif 000006
2021502067.tif 000007